(57)【要約】【課題】ＧＰＳ非搭載携帯電話機等の時刻補正等の有利性を図る。【解決手段】ＧＰＳ非搭載携帯電話機２０をネットワーク３０に接続する。ＧＰＳ非搭載携帯電話機２０からネットワークへＧＰＳ情報返送要求を送信する。ネットワーク３０は、ＧＰＳ情報返送要求をＧＰＳレファレンスレシーバ４０へ転送する。ＧＰＳレファレンスレシーバ４０は、ＧＰＳ情報をネットワーク３０へ返送する。ネットワーク３０は、ＧＰＳ情報をＧＰＳ非搭載携帯電話機２０へ転送する。ＧＰＳ非搭載携帯電話機２０は、転送されて来たＧＰＳ情報に基づいて自己に内臓される時計の時刻を補正する【選択図】図１
2007129666.tif 000002
【特許請求の範囲】
【請求項１】
ＧＰＳ衛星のＧＰＳ情報を間接的に情報端末装置へ通知する間接的ＧＰＳ情報通知方法であって、
前記ＧＰＳ情報を中継装置で受信し、
前記情報端末装置からＧＰＳ情報取得要求を前記中継装置へ送信し、
前記ＧＰＳ情報取得要求を受信した前記中継装置から前記ＧＰＳ情報を前記情報端末装置へ通知することを特徴とする間接的ＧＰＳ情報通知方法。
【請求項２】
前記中継装置は、前記ＧＰＳ衛星から送信される前記ＧＰＳ情報を受信するＧＰＳ情報受信装置と、該ＧＰＳ情報受信装置と前記情報端末装置とを結ぶネットワークとからなることを特徴とする請求項１記載の間接的ＧＰＳ情報通知方法。
【請求項３】
前記ＧＰＳ情報受信装置は、ＧＰＳレファレンスレシーバであることを特徴とする請求項２記載の間接的ＧＰＳ情報通知方法。
【請求項４】
前記ＧＰＳ情報取得要求は、前記情報端末装置から前記ネットワークへ送信されるＬＣＳ−ＭＯＬＲメッセージに挿入されることを特徴とする請求項２又は３記載の間接的ＧＰＳ情報報知方法。
【請求項５】
前記ネットワークから前記情報端末装置へ通知されるＧＰＳ情報は、前記情報端末装置と前記ネットワークとの間の無線入出力方式をＷ−ＣＤＭＡ方式とするとき、ＡＳＳＩＳＴＡＮＣＥ ＤＡＴＡ ＤＥＬＩＶＡＲＹメッセージに挿入されることを特徴とする請求項２、３又は４記載の間接的ＧＰＳ情報報知方法。
【請求項６】
前記ネットワークから前記情報端末装置へ通知されるＧＰＳ情報は、前記情報端末装置と前記ネットワークとの間の無線入出力方式をＧＳＭ方式とするとき、ＡＳＳＩＳＴＡＮＣＥ ＤＡＴＡメッセージに挿入されることを特徴とする請求項２、３又は４記載の間接的ＧＰＳ情報報知方法。
【請求項７】
前記情報端末装置へ通知される前記ＧＰＳ情報は、前記情報端末装置に装備される時計の時刻の補正に用いられることを特徴とする請求項１乃至６のいずれか一に記載の間接的ＧＰＳ情報通知方法。
【請求項８】
前記情報端末装置へ通知される前記ＧＰＳ情報は、前記情報端末装置に装備される位置情報出力手段の経時帯の補正に用いられることを特徴とする請求項１乃至６のいずれか一に記載の間接的ＧＰＳ情報通知方法。
【請求項９】
前記情報端末装置は、ＧＰＳ非搭載携帯情報端末装置であることを特徴とする請求項１乃至７記載の間接的ＧＰＳ情報通知方法。
【請求項１０】
ＧＰＳ衛星のＧＰＳ情報を間接的に情報端末装置へ通知する間接的ＧＰＳ情報通知システムであって、
前記ＧＰＳ情報を受信する中継装置と、
前記情報端末装置に備えられ、ＧＰＳ情報取得要求を前記中継装置へ送信する送信手段と、
前記中継装置に備えられ、前記送信手段から受信した前記ＧＰＳ情報取得要求対応の前記ＧＰＳ情報を前記情報端末装置へ通知する通知手段とを備えることを特徴とする間接的ＧＰＳ情報通知システム。
【請求項１１】
前記中継装置は、前記ＧＰＳ衛星から送信される前記ＧＰＳ情報を受信するＧＰＳ情報受信装置と、該ＧＰＳ情報受信装置と前記情報端末装置とを結ぶネットワークとからなることを特徴とする請求項９記載の間接的ＧＰＳ情報通知システム。
【請求項１２】
前記通知手段は、前記ネットワークであることを特徴とする請求項１１記載の間接的ＧＰＳ情報通知システム。
【請求項１３】
前記ＧＰＳ情報受信装置は、ＧＰＳレファレンスレシーバであることを特徴とする請求項１２記載の間接的ＧＰＳ情報通知システム。
【請求項１４】
前記ＧＰＳ情報取得要求は、前記情報端末装置から前記ネットワークへ送信されるＬＣＳ−ＭＯＬＲメッセージに挿入されることを特徴とする請求項１１、１２又は１３記載の間接的ＧＰＳ情報報知システム。
【請求項１５】
前記ネットワークから前記情報端末装置へ通知されるＧＰＳ情報は、前記情報端末装置と前記ネットワークとの間の無線入出力方式をＷ−ＣＤＭＡ方式とするとき、ＡＳＳＩＳＴＡＮＣＥ ＤＡＴＡ ＤＥＬＩＶＡＲＹメッセージに挿入されることを特徴とする請求項１１、１２、１３又は１４記載の間接的ＧＰＳ情報報知システム。
【請求項１６】
前記ネットワークから前記情報端末装置へ通知されるＧＰＳ情報は、前記情報端末装置と前記ネットワークとの間の無線入出力方式をＧＳＭ方式とするとき、ＡＳＳＩＳＴＡＮＣＥ ＤＡＴＡメッセージに挿入されることを特徴とする請求項１１、１２、１３又は１４記載の間接的ＧＰＳ情報報知システム。
【請求項１７】
前記情報端末装置へ通知される前記ＧＰＳ情報は、前記情報端末装置に装備される時計の時刻の補正に用いられることを特徴とする請求項１０乃至１６のいずれか一に記載の間接的ＧＰＳ情報通知システム。
【請求項１８】
前記情報端末装置へ通知される前記ＧＰＳ情報は、前記情報端末装置に装備される位置情報出力手段の経時帯の補正に用いられることを特徴とする請求項１０乃至１６のいずれか一に記載の間接的ＧＰＳ情報通知システム。
【請求項１９】
前記情報端末装置は、ＧＰＳ非搭載携帯情報端末装置であることを特徴とする請求項１０乃至１８記載の間接的ＧＰＳ情報通知システム。
【請求項２０】
前記送信手段は、前記ＧＰＳ非搭載携帯情報端末装置の無線機であることを特徴とする請求項１９記載の間接的ＧＰＳ情報通知システム。
【発明の詳細な説明】
【技術分野】
【０００１】
この発明は、間接的ＧＰＳ情報通知方法及びそのシステムに関し、詳しくは情報端末装置の時刻等の補正にＧＰＳレファレンスレシーバのＧＰＳ情報を活用する間接的ＧＰＳ情報通知方法及びそのシステムに関する。
【背景技術】
【０００２】
携帯電話機に装備の内臓時計を、時計の代わりに用いるユーザが増え、その時刻補正機能の装備も要望されており、現にＧＰＳ搭載携帯電話機も知られるに至っている。
また、ＧＰＳ非搭載携帯電話機でも、自己の時計の時刻補正にＧＰＳ時間を活用しようとする技術も提案されている。例えば、特許文献１である。
【０００３】
特許文献１は、ＧＰＳ受信機能を有する無線ＬＡＮ端末装置を、無線ＬＡＮアクセスポイントを介して、ＧＰＳ受信機能を有しない無線ＬＡＮ端末装置に接続する時刻整合システムを開示している。この時刻整合システムにおいては、ＧＰＳ受信機能を有する無線ＬＡＮ端末装置でＧＰＳ時刻を補正し、そして無線ＬＡＮアクセスポイントにおいて中継補正をしてその補正後の時刻でＧＰＳ受信機能を有しない無線ＬＡＮ端末装置の時計時刻を補正するようにしている。
【０００４】
また、無線電話での同期を取るのにＧＰＳ時刻を利用する技術が、特許文献２に記載されている。この技術は、ＧＰＳ時刻のビット情報を検出して現在時刻を更新し、更新された時刻を基準として同期信号を生成することによりチャネル干渉、制御信号の干渉を除こうとするものである。
【０００５】
また、特許文献３には、ＮＴＰ（Ｎetwork Ｔime Ｐrotcol）サーバから時刻情報を得て携帯電話機の内臓時計の時刻を補正する技術が開示されている。また、特許文献４には、ＧＰＳアンテナを搭載した携帯電話等の位置情報を定期的にサーバの地図情報内の任意の範囲で登録して置き、その登録をした携帯電話等がその範囲内に入ったとき上記登録をした携帯電話等の位置を知りたい者がリアルタイムで知ることができるようにした技術が開示されている。
【特許文献１】特開２００４−１７７３１１号公報
【特許文献２】特開平０６−３１４９９７号公報
【特許文献３】特開２００３−３１５４７８号公報
【特許文献４】特開２００４−１２７２２９号公報
【発明の開示】
【発明が解決しようとする課題】
【０００６】
上述したＧＰＳ搭載携帯電話機によっても、その内臓時計の時刻補正を行うことはできるが、ＧＰＳ情報受信手段を搭載していなければならない。また、ＧＰＳ衛星の補足が十分でない或いは完全にできない場合には、その機能が十分果たせないか不全となる。
また、特許文献１は、上述した２つの時刻補正をする技術的構成の中で、ＧＰＳ時刻に基づく携帯電話機等の内臓時計の時刻補正をできるに過ぎない。
【０００７】
また、特許文献２は、ＧＰＳ時刻をタイミング上の同期を取るのに利用する技術的構成を示しており、ＧＰＳ非搭載携帯電話機等の時刻補正をどのようにするかを示唆する技術的事項を見出せない。
また、特許文献３は、ＮＴＰサーバから得られる時刻情報によって携帯電話機等に内臓の時計の時刻補正を行える技術的構成が開示されるに留まり、また、特許文献４は、ＧＰＳアンテナを搭載した携帯電話機等の位置情報を定期的に登録されるサーバの地図情報内の任意の範囲に入ったとき、登録をした携帯電話機等の位置を知りたい者がリアルタイムで報知する技術的構成が開示されるに留まるから、上述したＧＰＳ搭載携帯電話機、特許文献１に記載の技術や特許文献２に記載の技術と同様の技術的課題がある。
【０００８】
この発明は、上述の事情に鑑みてなされたもので、ネットワークを介してＧＰＳ情報受信装置から得られるＧＰＳ情報を情報端末装置の時刻等の補正に利用する間接的ＧＰＳ情報通知方法及びそのシステムを提供することを目的としている。
【課題を解決するための手段】
【０００９】
上記課題を解決するために、請求項１記載の発明は、ＧＰＳ衛星のＧＰＳ情報を間接的に情報端末装置へ通知する間接的ＧＰＳ情報通知方法に係り、上記ＧＰＳ情報を中継装置で受信し、上記情報端末装置からＧＰＳ情報取得要求を上記中継装置へ送信し、上記ＧＰＳ情報取得要求を受信した上記中継装置から上記ＧＰＳ情報を上記情報端末装置へ通知することを特徴としている。
【００１０】
請求項２記載の発明は、請求項１記載の間接的ＧＰＳ情報通知方法に係り、上記中継装置は、上記ＧＰＳ衛星から送信される上記ＧＰＳ情報を受信するＧＰＳ情報受信装置と、該ＧＰＳ情報受信装置と上記情報端末装置とを結ぶネットワークとからなることを特徴としている。
【００１１】
請求項３記載の発明は、請求項２記載の間接的ＧＰＳ情報通知方法に係り、上記ＧＰＳ情報受信装置は、ＧＰＳレファレンスレシーバであることを特徴している。
【００１２】
請求項４記載の発明は、請求項２又は３記載の間接的ＧＰＳ情報報知方法に係り、上記ＧＰＳ情報取得要求は、上記情報端末装置から上記ネットワークへ送信されるＬＣＳ−ＭＯＬＲメッセージに挿入されることを特徴としている。
【００１３】
請求項５記載の発明は、請求項２、３又は４記載の間接的ＧＰＳ情報報知方法に係り、上記ネットワークから上記情報端末装置へ通知されるＧＰＳ情報は、上記情報端末装置と上記ネットワークとの間の無線入出力方式をＷ−ＣＤＭＡ方式とするとき、ＡＳＳＩＳＴＡＮＣＥ ＤＡＴＡ ＤＥＬＩＶＡＲＹメッセージに挿入されることを特徴としている。
【００１４】
請求項６記載の発明は、請求項２、３又は４記載の間接的ＧＰＳ情報報知方法に係り、上記ネットワークから上記情報端末装置へ通知されるＧＰＳ情報は、上記情報端末装置と上記ネットワークとの間の無線入出力方式をＧＳＭ方式とするとき、ＡＳＳＩＳＴＡＮＣＥ ＤＡＴＡメッセージに挿入されることを特徴としている。
【００１５】
請求項７記載の発明は、請求項１乃至６のいずれか一に記載の間接的ＧＰＳ情報通知方法に係り、上記情報端末装置へ通知される上記ＧＰＳ情報は、上記情報端末装置に装備される時計の時刻の補正に用いられることを特徴としている。
【００１６】
請求項８記載の発明は、請求項１乃至６のいずれか一に記載の間接的ＧＰＳ情報通知方法に係り、上記情報端末装置へ通知される上記ＧＰＳ情報は、上記情報端末装置に装備される位置情報出力手段の経時帯の補正に用いられることを特徴としている。
【００１７】
請求項９記載の発明は、請求項１乃至７記載の間接的ＧＰＳ情報通知方法に係り、上記情報端末装置は、ＧＰＳ非搭載携帯情報端末装置であることを特徴としている。
【００１８】
請求項１０記載の発明は、ＧＰＳ衛星のＧＰＳ情報を間接的に情報端末装置へ通知する間接的ＧＰＳ情報通知システムに係り、上記ＧＰＳ情報を受信する中継装置と、上記情報端末装置に備えられ、ＧＰＳ情報取得要求を上記中継装置へ送信する送信手段と、上記中継装置に備えられ、上記送信手段から受信した上記ＧＰＳ情報取得要求対応の上記ＧＰＳ情報を上記情報端末装置へ通知する通知手段とを備えることを特徴としている。
【００１９】
請求項１１記載の発明は、請求項９記載の間接的ＧＰＳ情報通知システムに係り、上記中継装置は、上記ＧＰＳ衛星から送信される上記ＧＰＳ情報を受信するＧＰＳ情報受信装置と、該ＧＰＳ情報受信装置と上記情報端末装置とを結ぶネットワークとからなることを特徴としている。
【００２０】
請求項１２記載の発明は、請求項１１記載の間接的ＧＰＳ情報通知システムに係り、上記通知手段は、上記ネットワークであることを特徴としている。
【００２１】
請求項１３記載の発明は、請求項１２記載の間接的ＧＰＳ情報通知システムに係り、上記ＧＰＳ情報受信装置は、ＧＰＳレファレンスレシーバであることを特徴としている。
【００２２】
請求項１４記載の発明は、請求項１１、１２又は１３記載の間接的ＧＰＳ情報報知システムに係り、上記ＧＰＳ情報取得要求は、上記情報端末装置から上記ネットワークへ送信されるＬＣＳ−ＭＯＬＲメッセージに挿入されることを特徴としている。
【００２３】
請求項１５記載の発明は、請求項１１、１２、１３又は１４記載の間接的ＧＰＳ情報報知システムに係り、上記ネットワークから上記情報端末装置へ通知されるＧＰＳ情報は、上記情報端末装置と上記ネットワークとの間の無線入出力方式をＷ−ＣＤＭＡ方式とするとき、ＡＳＳＩＳＴＡＮＣＥ ＤＡＴＡ ＤＥＬＩＶＡＲＹメッセージに挿入されることを特徴としている。
【００２４】
請求項１６記載の発明は、請求項１１、１２、１３又は１４記載の間接的ＧＰＳ情報報知システムに係り、上記ネットワークから上記情報端末装置へ通知されるＧＰＳ情報は、上記情報端末装置と上記ネットワークとの間の無線入出力方式をＧＳＭ方式とするとき、ＡＳＳＩＳＴＡＮＣＥ ＤＡＴＡメッセージに挿入されることを特徴としている。
【００２５】
請求項１７記載の発明は、請求項１０乃至１６のいずれか一に記載の間接的ＧＰＳ情報通知システムに係り、上記情報端末装置へ通知される上記ＧＰＳ情報は、上記情報端末装置に装備される時計の時刻の補正に用いられることを特徴としている。
【００２６】
請求項１８記載の発明は、請求項１０乃至１６のいずれか一に記載の間接的ＧＰＳ情報通知システムに係り、上記情報端末装置へ通知される上記ＧＰＳ情報は、上記情報端末装置に装備される位置情報出力手段の経時帯の補正に用いられることを特徴としている。
【００２７】
請求項１９記載の発明は、請求項１０乃至１８記載の間接的ＧＰＳ情報通知システムに係り、上記情報端末装置は、ＧＰＳ非搭載携帯情報端末装置であることを特徴としている。
【００２８】
請求項２０記載の発明は、請求項１９記載の間接的ＧＰＳ情報通知システムに係り、上記送信手段は、上記ＧＰＳ非搭載携帯情報端末装置の無線機であることを特徴としている。
【発明の効果】
【００２９】
この発明によれば、中継装置でＧＰＳ衛星のＧＰＳ情報を受信し、情報端末装置から中継装置へＧＰＳ情報取得要求を送信し、その中継装置からＧＰＳ情報を情報端末装置へ通知するようにしたので、通知されたＧＰＳ情報の情報端末装置での利用が図れる。例えば、通知されたＧＰＳ情報のＧＰＳ時刻情報に基づいて情報端末装置に装備される時計の時刻を補正することができる。
また、ＧＰＳが利用できない地下や、ＧＰＳ衛星がすべて見つからない場合であっても、情報端末装置の時刻補正等を行うことができる。
ネットワークと情報端末装置との間では、３ＧＰＰで規定されているメッセージと技術的手順とからなる標準的なＬＣＳ方法を用いているので、全世界で利用可能である。
【発明を実施するための最良の形態】
【００３０】
この発明は、中継装置でＧＰＳ衛星のＧＰＳ情報を受信すること、情報端末装置から中継装置へＧＰＳ情報取得要求を送信すること、中継装置からＧＰＳ情報を情報端末装置へ通知することを備えて構成される。
【実施例１】
【００３１】
図１は、この発明の実施例１であるＧＰＳ非搭載携帯電話機の時刻補正システムを示す図、図２は、同ＧＰＳ非搭載携帯電話機の時刻補正システムを構成するＧＰＳ非搭載携帯電話機の電気的構成を示す図、また、図３は、同ＧＰＳ非搭載携帯電話機の時刻補正システムの動作シーケンスを示す図である。
この実施例のＧＰＳ非搭載携帯電話機の時刻補正システム１は、ＧＰＳ非搭載携帯電話機がネットワークを介してＧＰＳレファレンスレシーバから時刻情報を取得してＧＰＳ非搭載携帯電話機の時計の時刻を補正する間接的時刻補正システムに係り、図１に示すように、ＧＰＳ非搭載携帯電話機２０、ネットワーク３０及びＧＰＳレファレンスレシーバ４０から概略構成されている。このシステム構成は、Ａssisted ＧＰＳ方式に対応しているＷ−ＣＤＭＡ方式（又はＧＳＭ方式）のネットワークにおいて実施した場合のものであり、ネットワーク３０及びＧＰＳレファレンスレシーバ４０は、Ａssisted ＧＰＳ方式を実現するシステム構成を示す。
【００３２】
ＧＰＳ非搭載携帯電話機２０は、ＧＰＳレシーバを搭載しないＷ−ＣＤＭＡ方式又はＧＳＭ方式の携帯電話機で、ネットワーク３０にアクセスすることができる。
ネットワーク３０は、ＧＰＳレファレンスレシーバ４０と有線で接続されている。
ＧＰＳレファレンスレシーバ４０は、ＧＰＳ衛星からＧＰＳ時刻（ＧＰＳ−Ｗeek、ＧＰＳ−ＴＯＷ（ＧＰＳ time of week））や衛星軌道情報（Ａlmanac等）を得ることが可能とするＧＰＳ情報取得装置である。
【００３３】
ネットワーク３０は、第１図に示すように、ＧＰＳ非搭載携帯電話機２０の無線機２２との間で無線回線を介して通信を行う基地局３２と、ＧＰＳレファレンスレシーバ４０と有線回線５０を介して接続するネットワーク３０内の対応する交換局３４と、基地局３２と交換局３４とを結ぶ上りの通信回線３６及び下りの通信回線３８とを有して構成される。
【００３４】
ＧＰＳ非搭載携帯電話機２０は、図２に示すように、制御部２１、無線機２２、時計２３、マイク２４、カメラ２５、キーボード２６、記憶装置２７、表示部２８及びスピーカ２９とから構成されており、制御部２１は、無線機２２、時計２３、マイク２４、カメラ２５、キーボード２６、記憶装置２７、表示部２８及びスピーカ２９に接続され、その各々を個別に制御可能なＣＰＵ等の装置である。
無線機２２は、Ｗ−ＣＤＭＡ方式又はＧＳＭ方式で無線情報の入出力を行う装置であり、ネットワーク３０と通信可能である。時計２３は、一般的な電子時計であり、時刻を計時し、制御部２１による時刻の設定やその読み出しが可能に構成されている。
【００３５】
マイク２４は、音声の入力手段である。カメラ２５は、画像の入力手段である。キーボード２６は、ユーザが入力したい情報を入力可能な入力手段である。記憶装置２７は、制御部２１によってアクセスされるＲＯＭ／ＲＡＭ等のメモリである。表示部２８は、画像の表示を行うＬＣＤ等の出力手段である。スピーカ２９は、音声の出力手段である。
【００３６】
次に、図１乃至図３を参照して、この実施例の動作について説明する。
その動作を図３のシーケンスに沿って説明するが、このシーケンスは、Ｗ−ＣＤＭＡ方式でのシーケンスで、そのシーケンスはＬＣＳ（Ｌocation Ｓervice）方法を示している。
携帯電話機２０において、その時計２３の時刻を補正しようとするとき、携帯電話機２０の制御部２１、そして無線機２２からネットワーク３０に対してＬＣＳ−ＭＯＬＲ（Ｍobile Ｏriginated Ｌocation Ｒeruest）メッセージを送信する（図３のステップ２０１）。このＬＣＳ−ＭＯＬＲメッセージの内容としては、molr-Ｔype＝assistance Ｄata、gps Ａssistance Ｄata＝reference Ｔime is requestedをそれぞれ設定する。ここで、molr-Ｔype＝assistance Ｄataは、ネットワーク３０に対してassistance Ｄataの返信を要求するもので、gps Ａssistance Ｄata＝reference Ｔime is requestedは、assistance ＤataとしてＧＰＳ−Ｗeek、ＧＰＳ−ＴＯＷを要求するものである（詳細は、３ＧＰＰ ＴＳ２４ ０３０、３ＧＰＰ ＴＳ２４ ０８０を参照されたい）。
【００３７】
ＬＣＳ−ＭＯＬＲメッセージを受信したネットワーク３０の基地局３２は、上りの通信回線３６、交換局３４、そして有線回線５０を介してＧＰＳレファレンスレシーバ４０に対して、最新のＧＰＳ情報の取得要求（返送要求）を送信する（図３のステップ２０２）。ＧＰＳ情報とは、最新のＧＰＳ−Ｗeek、ＧＰＳ−ＴＯＷやその他のassistance Ｄata等である。取得要求を受信したＧＰＳレファレンスレシーバ４０は、上記取得要求に応答してＧＰＳレファレンスレシーバ４０でＧＰＳ衛星から受信し保持しているＧＰＳ情報を有線回線５０を介してネットワーク３０へ通知（返送）する（図３のステップ２０３）。
【００３８】
ＧＰＳ情報を受信したネットワーク３０の交換局３４は、下りの通信回線３８を介し回送し、その基地局３２からASSISTANCE ＤＡＴＡ ＤＥＬＩＶＡＲＹメッセージ（詳細は３ＧＰＰ ＴＳ２５ ３３１を参照されたい）を用いて返送されて来たＧＰＳ情報を携帯電話機２０へ送信する。
携帯電話機２０の制御部２１は、その無線機２２を介してＧＰＳ情報を受信し、そのＧＰＳ情報内のＧＰＳ−Ｗeek又はＧＰＳ−ＴＯＷを用いて時計２３の年月日や時刻の補正を行う（図３のステップ２０５）。その他のassistance Ｄataは、この発明の動作では不要である。
そして、ネットワーク３０は、ＬＣＲ−ＭＯＬＲ Ｒesultメッセージを携帯電話機２０に対して送信し、この発明の処理動作を終了する。
【００３９】
このように、この実施例の構成によれば、携帯電話機からネットワークに対してＬＣＳ−ＭＯＬＲメッセージでＧＰＳレファレンスレシーバからＧＰＳ情報の返送を要求し、ＧＰＳレファレンスレシーバから受信したＧＰＳ情報をネットワークは、ASSISTANCE ＤＡＴＡ ＤＥＬＩＶＡＲＹメッセージで携帯電話機へ返信するようにしたので、ＧＰＳ非搭載携帯電話機の時計の時刻補正を行うことができる。
また、ＧＰＳが利用できない地下や、ＧＰＳ衛星がすべて見つからない場合であっても、携帯電話機で電波の送受信が可能な地域であれば、携帯電話機の時計の時刻補正を行うことができる。
ネットワークと携帯電話機との間では、３ＧＰＰで規定されているメッセージと技術的手順とからなる標準的なＬＣＳ方法を用いているので、全世界で利用可能である。
【実施例２】
【００４０】
この発明の実施例２は、実施例１と異なり、図１に示す構成においてＧＰＳ非搭載携帯電話機をＧＰＳ搭載携帯電話機とするものである。
このように構成することにより、ＧＰＳ衛星を発見できない場合でも、そのＧＰＳ搭載携帯電話機において実施例１と同様の手順でその時計の時刻をＧＰＳ情報の時刻に合わせ込むことができる。
【実施例３】
【００４１】
この発明の実施例３は、ＧＰＳ非搭載携帯電話機又はＧＰＳ搭載携帯電話機においてその時経帯情報をＧＰＳで計測している時経帯に合わせ込む実施例である。
すなわち、ＧＰＳレファレンスレシーバ４０（図１）が計測して取得、保持しているＧＰＳ情報を実施例１と同様の手順でＧＰＳ非搭載携帯電話機又はＧＰＳ搭載携帯電話機に取り込み、そのＧＰＳ情報内のＡssistance dataに含まれているＲeference Ｌocationという情報に基づいてＧＰＳ非搭載携帯電話機又はＧＰＳ搭載携帯電話機の時経帯情報を補正する。
このように、この実施例によれば、ＧＰＳ非搭載携帯電話機又はＧＰＳ搭載携帯電話機の時経帯情報の補正を行うことができる。
【００４２】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、ネットワークとＧＰＳレファレンスレシーバとが有線で接続される場合について説明したが、無線で接続される場合においても、この発明を実施し得る。
また、携帯電話機について説明したが、ネットワークに接続され、ＬＣＳ方法を適用し得るその他の携帯情報端末装置や固定情報端末装置においても、この発明を利用して構成し得る。
また、実施例は、時刻補正システム等の例について説明したが、通知されるＧＰＳ情報をその他の用途、例えば、表示等に用いてもよい。
【図面の簡単な説明】
【００４３】
【図１】この発明の実施例１であるＧＰＳ非搭載携帯電話機の時刻補正システムを示す図である。
【図２】同ＧＰＳ非搭載携帯電話機の時刻補正システムを構成するＧＰＳ非搭載携帯電話機の電気的構成を示す図である。
【図３】同ＧＰＳ非搭載携帯電話機の時刻補正システムの動作シーケンスを示す図である。
【符号の説明】
【００４４】
１      ＧＰＳ非搭載携帯電話機の時刻補正システム（間接的ＧＰＳ情報通知システム）
２０      ＧＰＳ非搭載携帯電話機（情報端末装置）
２１      制御部（送信手段の一部）
２２      無線機（送信手段の残部）
３０      ネットワーク（中継装置の一部、通知手段の一部）
３２      基地局（通知手段の一部）
３４      交換局（通知手段の一部）
３６      上りの通信回線（通知手段の一部）
３８      下りの通信回線（通知手段の一部）
４０      ＧＰＳレファレンスレシーバ（中継装置の残部、通知手段の一部、ＧＰＳ情報受信装置）
５０      有線回線（通知手段の残部）
【図１】
2007129666.tif 000003
【図２】
2007129666.tif 000004
【図３】
2007129666.tif 000005